(57)【特許請求の範囲】
【請求項１】
芯部本体（１）と、締結部材（２）と、係止部材（３）とからなり、
上記芯部本体は、芯部材（１１，１２）を補強部材（１３，１４）により補強したものであり、
上記芯部材は、棒材を使用し、天井部（１１ａ，１２ａ）と、この天井部から屈成された柱部（１１ｂ，１２ｂ）と、この柱部の下端に設けてある脚部（１１ｃ，１２ｃ）とを連続して形成してなり、
上記芯部材は、その平面形状が放射状であり、
上記締結部材は、伸縮自在な素材を利用したもので、その一端は上記脚部に、その他端は上記係止部材にそれぞれ連結してあり、
上記係止部材は、上記芯部本体の頂部に係止可能である
ことを特徴とするフレキシブルダクトの梱包具。
【請求項２】
請求項１の芯部材の柱部は脚部に向けて広がりのあるテーパ状に形成してある
ことを特徴とするフレキシブルダクトの梱包具。
【請求項３】
請求項１または２の梱包具は、軸流扇本体のフレキシブルダクトの取付け側開口に、予め取付てある
ことを特徴とする軸流扇。
【発明の詳細な説明】
【０００１】
【産業上の利用分野】
本発明はフレキシブルダクトの梱包具およびこの梱包具が取り付けてある軸流扇に関する。
【０００２】
【従来の技術】
従来からよく知られいる軸流扇は、造船、自動車、化学工場、トンネル工事現場などのガス、ミスト、フュームの換気、窯業、プラスチック成形工場などの光熱発生場所での防熱、機器製品の冷却などの分野に使用されており、この軸流扇は、その本体とこの本体の一方の開口に取付けてある蛇腹状のフレキシブルダクトとからなるものである。そして、この軸流扇を搬送するときは、フレキシブルダクトを軸流扇本体から取り外し、このフレキシブルダクトを収縮させ、包装用の袋内に収納していた。このフレキシブルダクトは、例えば長さが５ｍ程度の標準的なもので、軸心に沿って収縮させると３５ｃｍ程度にすることができ、収縮した状態で包装用の袋に収納して持ち運んでいる。
【０００３】
【発明が解決しようとする課題】
ところが、この包装用の袋が大きいと、フレキシブルダクトの収納作業は簡単であるが、おさまりや見栄えが悪く、また収納袋が収縮したフレキシブルダクトの外形と同一の大きさであると、収納された後は、おさまりがよく、見栄えはよいが、この収納作業が面倒で、特にフレキシブルダクトはミストなどが付着しているため、収納するのに手が汚れ、作業員はこの汚れるのを嫌い、そのためこの袋を使用しないで、収縮してドーナッツ状になったフレキシブルダクトの２，３個所を内外にワイヤーを廻して締結して持ち運んでいるのが実情である。
【０００４】
そこで、本発明の目的はフレキシブルダクトを容易に梱包することのできる梱包具およびこの梱包具が予め取付けてある軸流扇を提供することにある。
【０００５】
【課題を解決するための手段】
本発明の第１の特徴は、芯部本体と、締結部材と、係止部材とからなり、上記芯部本体は、芯部材と補強部材とからなり、上記芯部材は、パイプ材などの棒材を使用し、天井部と、この天井部から屈成された柱部と、この柱部の下端に設けてある脚部とを連続して形成してなり、上記芯部材は、角度的変位をもって平面放射状であり、上記締結部材は、伸縮自在な素材を利用したもので、この締結部材の一端は上記脚部に連結しており、上記係止部材は、上記締結部材の他端に連結してなり、この係止部材は、上記芯部材の頂部に係止可能であるところにある。
【０００６】
第２の特徴は、前記第１の特徴を有する梱包具を、軸流扇本体のフレキシブルダクトの取付け側開口に、予め取付てあるところにある。
【０００７】
【実施例】
図面に基づき本発明の実施例を説明すると、本発明にかかる梱包具は、図１，２に示すように芯部本体１と、締結部材であるゴムテープ２と、係止部材であるフック３とからなるものである。
【０００８】
そこで、先ず芯部本体１の構成から説明すると、この芯部本体は、複数（図面では２個）の芯部材１１，１２を内外に組合せてなるもので、この芯部材はパイプやピアノ線などの棒材を使用し、その形状は頂部に天井部１１ａ、１２ａが水平に形成され、この天井部を中心として、その両側端部から下方に向けてほぼ直角に屈成されている柱部１１ｂ，１１ｂ、１２ｂ，１２ｂが垂設してあり、さらに、この柱部の下端は、外方に屈成されて脚部１１ｃ，１１ｃ、１２ｃ，１２ｃが連続して形成してある。脚部１１ｃ，１１ｃ，１２ｃ，１２ｃの外端は、図３に示すように、収縮したフレキシブルダクトＤの外周面よりさらに外方にまで延びていることが望ましい。
【０００９】
芯部本体１は、図２に示すように、内外の両芯部材１１，１２を相互に９０度の角度的に変位させて組立てたもので、平面形状は、その天井部１１ａ，１２ａが４方に延びる放射状になっており、図１に示してあるように、この芯部材の上部と下部との２個所は、リング状の補強部材１３，１４によりその交点が溶接により連結され、それにより芯部本体１自体が補強されている。このように天井部１１ａ，１２ａが放射状であるというのは、芯部本体１が起立可能にするためで、したがって起立可能である限り、この天井部の相互の角度的変位は等角度に限定されるものではない。
【００１０】
ゴムテープ２…は、その基端を芯部材１１，１２の各脚部１１ｃ，１２ｃに連結してあり、このゴムテープの先端には、フック３が連結してあり、このフックは、芯部材の頂部に位置する天井部１１ａ，１２ａの両端部または柱部１１ｂ，１２ｂの上端部に係止可能である。
【００１１】
また、芯部材１１，１２の柱部１１ｂ，１１ｂ，１２ｂ，１２ｂは、図１に示すように、その脚部１１ｃ，１１ｃ，１２ｃ，１２ｃに向けて広がりのあるテーパ状に形成してある。
【００１２】
そこで、本発明にかかる梱包具の使用法について説明すると、図３のように、この梱包具の天井部１１ａ，１２ａを頂部とし、脚部１１ｃ，１２ｃを下部にして起立させ、蛇腹状のフレキシブルダクトＤを収縮させて、このダクトに形成された中空部を天井部１１ａ，１２ａに嵌合させ、そのまま柱部１１ｂ，１２ｂから脚部１１ｃ，１２ｃ上面まで十分に嵌合させる。その後、各ゴムテープ２，…を引き延ばしながらこのフレキシブルダクトＤの下面から外周に引き出し、さらに下から上方に引き上げ、そのフック３を柱部１１ｂ，１２ｂの上端部に係止させる。そして、天井部１１ａ，１２ａを把持して持ち運ぶことができる。
【００１３】
また、梱包具は、その柱部１１ｂ，１２ｂがテーパ状になっているため、使用していない時は、複数の梱包具を重ねて保管しておくことができる。
【００１４】
また、本発明は、図４，５に示すように、軸流扇本体ＡのフレキシブルダクトＤの取付け側開口（図４，５の右側）に、前記した梱包具を予め取着けたものを提案している。図４に示すように、軸流扇を使用しているときは、フレキシブルダクトＤは引き延ばして、ミストなどが発生する現場近くにその先端開口を位置させ、軸流扇本体Ａによりこのミストなどが吸引され外部へ排気されるものである。そして、軸流扇本体Ａを持ち運ぶときは、図５に示すように、フレキシブルダクトＤを収縮させて、前記したと同様にゴムテープ２を引き延ばして、フック３を天井部１１ａ，１２ａと柱部１１ｂ，１２ｂとの境界部に係止し、天井部１１ａ，１２ａを把持して、軸流扇本体Ａと共に持ち運ぶものである。この場合、梱包具の保管は不要である。締結部材として、ゴムテープの他にコイルスプリング、紐、ワイヤなどが使用できる。
【００１５】
【発明の効果】
本発明によると、収縮されたフレキシブルダクトを、あまり手を汚さずに簡単に梱包することができ、さらにこのダクトまたは軸流扇の持ち運びを容易にしている。
【図面の簡単な説明】
【図１】梱包具の正面図である。
【図２】梱包具の平面図である。
【図３】梱包具でフレキシブルダクトを梱包した状態を示す斜面図である。
【図４】梱包具を軸流扇に取付けて軸流扇を作動させている状態の正面図である。
【図５】図４の構造においてフレキシブルダクトをこの梱包具で梱包した状態の正面図である。
【符号の説明】
１              芯部本体
１１，１２      芯部材
１１ａ，１２ａ  天井部
１１ｂ，１２ｂ  柱部
１１ｃ，１２ｃ  脚部
１３，１４      補強部材
２              締結部材（ゴムテープ）
３              係止部材（フック）
Ａ              軸流扇本体
Ｄ              フレキシブルダクト
【図１】
0003567226.tif 000002
【図２】
0003567226.tif 000003
【図３】
0003567226.tif 000004
【図４】
0003567226.tif 000005
【図５】
0003567226.tif 000006